(57)【要約】【課題】  熱シール封緘が完全か否かを容易に目視で確認することのできるプラスチックフィルム製封筒を得る。【解決手段】  透明なプラスチック材料からなる表フィルム２ａと裏フィルム２ｂにて１辺に開口部６を設けた袋体に構成され、少なくとも表フィルム２ａにマット処理印刷（インキ層１５）を施したプラスチックフィルム製封筒。袋体の開口部６の近傍に沿ってマット処理が欠除した透明帯７を有し、表フィルム２ａ及び裏フィルム２ｂの透明帯７に対応する内面側に粗面加工層１１，１１を設けた。粗面加工層１１，１１は通常乱反射にて白濁状態で透明帯７から目視され、透明帯７をライン状に封緘（溶着）すると溶融した粗面部分が透明になる。【選択図】  図２
2006103710.tif 000002
【特許請求の範囲】
【請求項１】
透明プラスチック材料からなる表フィルムと裏フィルムにて一辺が開口した袋体に構成され、少なくとも表フィルムの表面に不透明で切手を貼付け可能でかつ筆記具による筆記が可能なマット処理印刷を施したプラスチックフィルム製封筒であって、
前記袋体の開口部分近傍に沿って前記マット処理印刷が欠除した透明帯を形成するとともに、前記表フィルム及び／又は裏フィルムの前記透明帯に対応する内面側に溶融すると透明になる粗面加工層を設けたこと、
を特徴とするプラスチックフィルム製封筒。
【請求項２】
透明プラスチック材料からなる表フィルムと裏フィルムにて一辺が開口した袋体に構成され、少なくとも表フィルムの表面に不透明で切手を貼付け可能でかつ筆記具による筆記が可能なマット処理印刷を施したプラスチックフィルム製封筒であって、
前記袋体の開口部分近傍に沿って前記マット処理印刷が欠除した透明帯を形成するとともに、前記表フィルム及び／又は裏フィルムの前記透明帯に対応する内面側に不透明なホットメルト接着剤層を設けたこと、
を特徴とするプラスチックフィルム製封筒。
【請求項３】
透明プラスチック材料からなる表フィルムと裏フィルムにて一辺が開口した袋体に構成され、少なくとも表フィルムの表面に淡色不透明で切手を貼付け可能でかつ筆記具による筆記が可能なマット処理印刷を施したプラスチックフィルム製封筒であって、
前記袋体の開口部分近傍に沿って前記裏フィルムの外面側に濃色印刷層を設け、溶着により表フィルム及び裏フィルムが密着することにより、表フィルムの外面側に溶着ラインが淡色マット処理印刷を通じて目視可能になること、
を特徴とするプラスチックフィルム製封筒。
【発明の詳細な説明】
【技術分野】
【０００１】
本発明は、プラスチックフィルム製封筒、特に、開口部分を熱溶着によって封緘するようにしたプラスチックフィルム製封筒に関する。
【背景技術】
【０００２】
一般に、市販されているプラスチックフィルム製封筒は、表面に不透明マットインキによる全面印刷が施されている。これは、郵便局による「定形郵便物、はがき作成のガイドライン」に基づいて、（１）宛名面は切手などの貼付けが可能で、乾燥後に容易に剥がれないように糊との適度の親和性があること、（２）表面は筆記用具による筆記が可能で、インキなどの適度な吸湿性があり、他の郵便物を汚さないもの、という条件を満足するためである。
【０００３】
また、封緘の方法は、折り返して開口部をカバーするフラップ部に封止用の糊テープを設けてあるもの、あるいは、フラップ部を折り曲げてセロハンテープなどで封止するものがほとんどである。
【０００４】
一方、封緘を熱シールによって行うことが特許文献１に開示されている。プラスチックフィルムを扱う製袋業者であれば、当然考慮する方法である。熱シールを採用すれば、封緘が容易でスピードアップが図れ、電気代は糊テープよりも安価であり、離型紙などのゴミの発生を抑制し、糊という異物を使用しないなど、省エネや環境保全の思想にかなっている。
【０００５】
しかしながら、種々の利点を有する熱シール方式は、ダイレクトメールのように大量に送付する自動封入郵便物に採用されてはいるが、市販されている一般オフィス用の封筒には普及していないのが現状である。
【０００６】
その原因を推察すると、包装用の熱シール機、いわゆるインパルスシーラーがオフィスに浸透していない点を挙げることができ、また、熱シール封緘では封緘が完全か否かの確認が困難で手間な点にある。なお、自動封入郵便物は、製袋から内容物の封入、熱シールによる封緘まで自動化されており、封緘の信頼性は高く、封緘の完全性をいちいち目視で確認する必要はない。むしろ、いちいち確認しなければならないようでは自動化の意味がない。
【特許文献１】実開平７−３５３３９号公報
【発明の開示】
【発明が解決しようとする課題】
【０００７】
そこで、本発明の目的は、熱シール封緘が完全か否か容易に目視で確認することのできるプラスチックフィルム製封筒を提供することにある。
【課題を解決するための手段】
【０００８】
以上の目的を達成するため、第１の発明は、透明プラスチック材料からなる表フィルムと裏フィルムにて一辺が開口した袋体に構成され、少なくとも表フィルムの表面に不透明で切手を貼付け可能でかつ筆記具による筆記が可能なマット処理印刷を施したプラスチックフィルム製封筒であって、前記袋体の開口部分近傍に沿って前記マット処理印刷が欠除した透明帯を形成するとともに、前記表フィルム及び／又は裏フィルムの前記透明帯に対応する内面側に溶融すると透明になる粗面加工層を設けたことを特徴とする。
【０００９】
第１の発明に係るプラスチックフィルム製封筒において、内面の粗面加工層は封緘前には乱反射して白濁した状態に目視され、透明帯をライン状に溶着することにより粗面部分が溶融して透明になり、溶融しない白濁部分とは明瞭に識別される。これにて封緘が完全に行われたか否かを確認することができる。
【００１０】
第２の発明は、透明プラスチック材料からなる表フィルムと裏フィルムにて一辺が開口した袋体に構成され、少なくとも表フィルムの表面に不透明で切手を貼付け可能でかつ筆記具による筆記が可能なマット処理印刷を施したプラスチックフィルム製封筒であって、前記袋体の開口部分近傍に沿って前記マット処理印刷が欠除した透明帯を形成するとともに、前記表フィルム及び／又は裏フィルムの前記透明帯に対応する内面側に不透明なホットメルト接着剤層を設けたことを特徴とする。ホットメルト接着剤層は一般的にパートコート加工と称する方法によって設けられる。
【００１１】
第２の発明に係るプラスチックフィルム製封筒において、ホットメルト接着剤層は封緘前には不透明であって白濁した状態に目視され、透明帯をライン状に溶着することにより溶融して透明になり、溶融しない白濁部分とは明瞭に識別される。これにて封緘が完全に行われたか否かを確認することができる。
【００１２】
第３の発明は、透明プラスチック材料からなる表フィルムと裏フィルムにて一辺が開口した袋体に構成され、少なくとも表フィルムの表面に淡色不透明で切手を貼付け可能でかつ筆記具による筆記が可能なマット処理印刷を施したプラスチックフィルム製封筒であって、前記袋体の開口部分近傍に沿って前記裏フィルムの外面側に濃色印刷層を設け、溶着により表フィルム及び裏フィルムが密着することにより、表フィルムの外面側に溶着ラインが淡色マット処理印刷を通じて目視可能になることを特徴とする。
【００１３】
第３の発明に係るプラスチックフィルム製封筒において、封緘前には表フィルムの外面側はマット処理印刷による淡色状態に目視され、封緘溶着の後は溶着によって表フィルムと裏フィルムとが密着することで透視状態となり、濃色印刷層が淡色マット処理印刷を通じて目視されることになる。これにて封緘が完全に行われたか否かを確認することができる。
【発明を実施するための最良の形態】
【００１４】
以下、本発明に係るプラスチックフィルム製封筒の実施例について、添付図面を参照して説明する。
【００１５】
（封筒製造工程の概略、図１参照）
まず、本発明に係るプラスチックフィルム製封筒の製造工程につき、その概略を説明する。図１に示すように、幅広の原反フィルム１を用意し（図１（Ａ）参照）、該原反フィルム１を中央部で折り畳む（図１（Ｂ）参照）。便宜上、表フィルムを符号２ａ、裏フィルムを符号２ｂで示す。そして、折り畳んだ状態で所定の間隔Ｐで溶断する（図１（Ｃ）参照）。これにて、１辺に開口部６を備え、３辺が閉止されたプラスチックフィルム製封筒５が製作される。
【００１６】
なお、この種の封筒は、図１に示した製造工程に限定されるものではなく、例えば、両側部を熱シールしてカットしたもの、あるいは、２枚の原反フィルムの３辺を熱シールしたものであってもよい。
【００１７】
また、原反フィルム１としては、ポリエチレン、ポリプロピレンなどの熱溶着可能なプラスチック材料がベース材として使用される。ポリアミド、ポリエチレンテレフタレートなど熱溶着できないプラスチック材料をベース材として使用する場合には熱溶着可能なプラスチック材料を内面側にラミネートした材料を使用すればよい。
【００１８】
（第１実施例、図２参照）
図２（Ａ），（Ｂ）に示すように、第１実施例であるプラスチックフィルム製封筒５Ａは、少なくとも表フィルム２ａの表面側にマット処理印刷が施されている。マット処理印刷とは、前記「定形郵便物、はがき作成のガイドライン」に基づく条件（１），（２）を満足するために、不透明マットインキを塗布してインキ層１５を形成する処理をいう。なお、マット処理印刷によるインキ層１５は裏フィルム２ｂの表面側にまで施されていてもよいことは勿論である。
【００１９】
フィルム２ａ，２ｂは熱溶着可能な透明プラスチック材料からなり、一辺は開口部６とされている。図２（Ａ）で斜線を付した部分がマット処理印刷を施された領域であり、開口部６の近傍に沿ってマット処理印刷が欠除した透明帯７が形成されている。また、表フィルム２ａ及び裏フィルム２ｂの内面側には粗面加工層１１，１１が設けられている。この粗面加工層１１，１１は、乱反射により白濁して目視され、溶着した後には乱反射する粗面部分が溶融して透明となる。
【００２０】
このプラスチックフィルム製封筒５Ａにおいて、粗面加工層１１，１１は封緘前には透明帯７から白濁した状態に目視される。そして、透明帯７をライン状に溶着することにより（溶着部分を図２（Ｃ）に符号２０で示す）、粗面加工層１１，１１の粗面部分が溶融してライン状に透明になり、溶融しない白濁（粗面）部分から明瞭に識別することができる。仮に、全く溶着されていなければ、透明ラインは形成されない。また、溶着が不完全で切れ目が生じていれば、透明な溶着ラインに白濁した部分が混ざることになる。これにて封緘が完全に行われたか否かを確認することができる。
【００２１】
熱シールによる封緘は、瞬間加熱するインパルスシーラーによって容易に行うことができる。この点は以下に説明する第２及び第３実施例でも同様である。
【００２２】
なお、図２（Ｂ），（Ｃ）において、図の煩雑さを避けるために断面のハッチングは省略されている。以下の図３〜図５においても同様である。
【００２３】
（第２実施例、図３参照）
図３（Ａ）に示すように、第２実施例であるプラスチックフィルム製封筒５Ｂは、第１実施例である前記封筒５Ａと基本的には同じ構成からなり、少なくとも表フィルム２ａの表面側にマット処理印刷（インキ層１５）が施され、かつ、開口部６の近傍に沿ってマット処理印刷が欠除した透明帯７が形成されている。
【００２４】
また、表フィルム２ａの透明帯７に対応する内面側に不透明なホットメルト接着剤層１２がパートコート加工により設けられている。不透明なホットメルト接着剤層１２は常温では白濁した状態に目視され、溶融して接着した部分が透明になる。なお、ホットメルト接着剤層１２は裏フィルム２ｂの内面側に設けてもよい。
【００２５】
このプラスチックフィルム製封筒５Ｂにおいて、不透明なホットメルト接着剤層１２は封緘前には透明帯７から白濁した状態に目視される。そして、透明帯７をライン状に溶着することにより（溶着部分を図３（Ｂ）に符号２０で示す）、ホットメルト接着剤層１２の溶融して接着した部分がライン状に透明になり、溶融しない白濁部分から明瞭に識別することができる。仮に、全く溶着されていなければ、透明ラインは形成されない。また、溶着が不完全で切れ目が生じていれば、透明な溶着ラインに白濁した部分が混ざることになる。これにて封緘が完全に行われたか否かを確認することができる。
【００２６】
（第３実施例、図４参照）
図４（Ａ）に示すように、第３実施例であるプラスチックフィルム製封筒５Ｃは、第１実施例である前記封筒５Ａと基本的には同じ構成からなるもので、少なくとも表フィルム２ａの表面側に淡色マット処理印刷（インキ層１５）が施されており、開口部６の近傍に沿ってマット処理印刷が欠除した透明帯７は形成されていない。また、開口部６の近傍に沿った裏フィルム２ｂの外面側には濃色印刷層１４（例えば、濃紺や黒）が設けられている。
【００２７】
このプラスチックフィルム製封筒５Ｃにおいて、封緘前には表フィルム２ａの外面側（封筒５Ｃの宛名面）はマット処理印刷による淡色状態に目視され、封緘溶着（溶着部分を図４（Ｂ）に符号２０で示す）によって表フィルム２ａ及び裏フィルム２ｂが密着することで透視状態となり、濃色印刷層１４が淡色マット処理印刷を通じてライン状に浮かび上がる、即ち、目視されることになる。仮に、全く溶着されていなければ、濃色印刷層１４が溶着ラインとして目視されることはない。また、溶着が不完全で切れ目が生じていれば、溶着ラインに淡色マット処理印刷部分が混ざることになる。これにて封緘が完全に行われたか否かを確認することができる。
【００２８】
（他の実施例）
なお、本発明に係るプラスチックフィルム製封筒は前記実施例に限定するものではなく、その要旨の範囲内で種々に変更できる。
【００２９】
特に、封筒自体のフィルムには種々のプラスチック材料を使用することができ、マット処理印刷の材料、ホットメルト接着剤層や濃色印刷層にも種々の材料を使用することができる。
【００３０】
また、封筒自体の形状、構成は任意であり、例えば、熱溶着する１辺開口部とは反対側に、凹部と凸部とからなるファスナを設けて内容物の取出し口とした封筒であってもよい。
【図面の簡単な説明】
【００３１】
【図１】本発明に係るプラスチックフィルム製封筒の製造工程の概略説明図である。
【図２】本発明の第１実施例であるプラスチックフィルム製封筒を示し、（Ａ）は正面図、（Ｂ）は封緘前の断面図、（Ｃ）は封緘後の断面図である。
【図３】本発明の第２実施例であるプラスチックフィルム製封筒を示し、（Ａ）は封緘前の断面図、（Ｂ）は封緘後の断面図である。
【図４】本発明の第３実施例であるプラスチックフィルム製封筒を示し、（Ａ）は封緘前の断面図、（Ｂ）は封緘後の断面図である。
【符号の説明】
【００３２】
２ａ…表フィルム
２ｂ…裏フィルム
５Ａ，５Ｂ，５Ｃ…プラスチックフィルム製封筒
６…開口部
７…透明帯
１１…粗面加工層
１２…ホットメルト接着剤層
１４…濃色印刷層
１５…マット処理印刷インキ層
２０…溶着部分
【図１】
2006103710.tif 000003
【図２】
2006103710.tif 000004
【図３】
2006103710.tif 000005
【図４】
2006103710.tif 000006